(57)【要約】【課題】使用者から奥側の収納領域の使い勝手が向上した吊戸棚を提供すること。【解決手段】昇降棚３は、上下２段の棚部５，６と、これ等棚部５，６の左右各端側に配置された上段の棚部５を昇降自在に支持する前後一対の上アーム８，９及び下段の棚部６を昇降自在に支持する前後一対の下アーム１０，１１と、上アーム８，９と下アーム１０，１１とを枢着する上側の支持体２０と、から構成されており、上アーム８，９と下アーム１０，１１とは、連動して互いに逆方向に回動し、上下２段の棚部５，６を昇降させるとともに、上段の棚部５，６は、支持体２０に対して前後方向に移動可能に取り付けられ、上段の棚部５の前後位置を略一定に維持しながら昇降する。【選択図】図４
2011147662.tif 000002
【特許請求の範囲】
【請求項１】
下方が開口し少なくとも両側板と天板とからなる箱体の奥側の収納領域に昇降棚を配置し、前記箱体の手前側に別の収納領域を有する吊戸棚であって、
前記昇降棚は、上下２段の棚部と、これ等棚部の左右各端側に配置された前記上段の棚部を昇降自在に支持する前後一対の上アーム及び前記下段の棚部を昇降自在に支持する前後一対の下アームと、前記上アームと前記下アームとを枢着する上側の支持体と、から構成されており、
前記上アームと下アームとは、連動して互いに逆方向に回動し、前記上下２段の棚部を昇降させるとともに、前記上段の棚部は、前記支持体に対して前後方向に移動可能に取り付けられ、該上段の棚部の前後位置を略一定に維持しながら昇降することを特徴とする吊戸棚。
【請求項２】
前記上段の棚部は、手前側を少なくとも一部開放し、左右両側板と背板とを備えていることを特徴とする請求項１に記載の吊戸棚。
【請求項３】
前記箱体の手前側の収納領域に、該箱体に支持された鉛直軸回りに回動自在に枢支された回動棚が設けられていることを特徴とする請求項１または２に記載の吊戸棚。
【請求項４】
前記回動棚の下部に、下方向きの照明装置が設けられていることを特徴とする請求項３に記載の吊戸棚。
【請求項５】
前記箱体の手前側に、該手前側を開閉自在の跳ね上げ扉が設けられていることを特徴とする請求項１ないし４のいずれかに記載の吊戸棚。
【請求項６】
前記箱体の内部に、前記奥側の収納領域の上方を上方領域として形成する仕切棚板が設けられていることを特徴とする請求項１ないし５のいずれかに記載の吊戸棚。
【発明の詳細な説明】
【技術分野】
【０００１】
本発明は、下方が開口し少なくとも両側板と天板とからなる箱体の奥側の収納領域に昇降棚を配置し、この箱体の手前側に別の収納領域を有する吊戸棚に関する。
【背景技術】
【０００２】
従来の吊戸棚は、内部に収納領域を有し前面側が開口する箱体が構成されているものがある（例えば、特許文献１参照）。
【先行技術文献】
【特許文献】
【０００３】
【特許文献１】特開２００４−３２１７７０号公報（第５頁、第１図）
【発明の概要】
【発明が解決しようとする課題】
【０００４】
しかしながら、特許文献１にあっては、吊戸棚を構成する箱体内部の奥側の収納領域が、使用者の手前側から手が届き難いばかりか、箱体の前面開口から手前側の収納領域を介して奥側の収納領域にアプローチする必要があり、奥側の収納領域が使用し難いという問題がある。
【０００５】
本発明は、このような問題点に着目してなされたもので、使用者から奥側の収納領域の使い勝手が向上した吊戸棚を提供することを目的とする。
【課題を解決するための手段】
【０００６】
前記課題を解決するために、本発明の吊戸棚は、
下方が開口し少なくとも両側板と天板とからなる箱体の奥側の収納領域に昇降棚を配置し、前記箱体の手前側に別の収納領域を有する吊戸棚であって、
前記昇降棚は、上下２段の棚部と、これ等棚部の左右各端側に配置された前記上段の棚部を昇降自在に支持する前後一対の上アーム及び前記下段の棚部を昇降自在に支持する前後一対の下アームと、前記上アームと前記下アームとを枢着する上側の支持体と、から構成されており、
前記上アームと下アームとは、連動して互いに逆方向に回動し、前記上下２段の棚部を昇降させるとともに、前記上段の棚部は、前記支持体に対して前後方向に移動可能に取り付けられ、該上段の棚部の前後位置を略一定に維持しながら昇降することを特徴としている。
この特徴によれば、吊戸棚の収納領域を手前側と奥側とに区分し、手が届き難い奥側に昇降棚を配置し昇降可能にすることで、吊戸棚の奥側の収納領域の使い勝手が向上するともに、昇降棚の下段の棚部は昇降棚を降下させたときのみに物品を載置可能な仮置き棚部とし、上段の棚部は物品を載置したまま上昇させて箱体内の収納棚部として使用できる。
【０００７】
本発明の吊戸棚は、
前記上段の棚部は、手前側を少なくとも一部開放し、左右両側板と背板とを備えていることを特徴としている。
この特徴によれば、手前側が少なくとも一部開放した上段の棚部に物品を載置し易いばかりか、載置した物品が左右両側板と背板とに依り落下し難く、手前側に落下防止用の桟などを適宜設けることもできる。
【０００８】
本発明の吊戸棚は、
前記箱体の手前側の収納領域に、該箱体に支持された鉛直軸回りに回動自在に枢支された回動棚が設けられていることを特徴としている。
この特徴によれば、回動棚を鉛直軸回りに手前側に回動することで、回動棚に物品を取り入れし易い。
【０００９】
本発明の吊戸棚は、
前記回動棚の下部に、下方向きの照明装置が設けられていることを特徴としている。
この特徴によれば、回動棚を回動することで、回動棚の下部に設けられた照明装置により、吊戸棚の下方の適宜箇所を照らす自由度が高まる。
【００１０】
本発明の吊戸棚は、
前記箱体の手前側に、該手前側を開閉自在の跳ね上げ扉が設けられていることを特徴としている。
この特徴によれば、跳ね上げ扉を跳ね上げることで、箱体の手前側を左右の間口いっぱいに開放できる。
【００１１】
本発明の吊戸棚は、
前記箱体の内部に、前記奥側の収納領域の上方を上方領域として形成する仕切棚板が設けられていることを特徴としている。
この特徴によれば、仕切棚板で区分けされた比較的手が届き難い上方領域を利用して、下方の領域に収納する物品よりも使用頻度の低い物品を長期収納する等、頻度や用途を考慮した有効な収納空間を提供でき、利便性を向上できる。
【図面の簡単な説明】
【００１２】
【図１】実施例における吊戸棚を示す正面図である。
【図２】吊戸棚を示す平面図である。
【図３】昇降棚を示す斜視図である。
【図４】昇降棚が降下した吊戸棚を示す側断面図である。
【図５】昇降棚が折り畳まれる途中の状態を示す側断面図である。
【図６】昇降棚が折り畳まれた状態を示す側断面図である。
【発明を実施するための形態】
【００１３】
本発明に係る吊戸棚を実施するための形態を実施例に基づいて以下に説明する。図４の紙面左側を前側（手前側）とし、紙面右側を奥側（奥行側）として説明する。
【実施例】
【００１４】
実施例に係る吊戸棚につき、図１から図６を参照して説明する。図１及び図２に示されるように、吊戸棚３は、室内のキッチンやシンク等が配設された上方の壁面に固定に設置された箱体４１から構成されている。箱体４１は、左右の両側板４３，４３と天板４２と背板４４とから成り、箱体４１の下方が開口しているとともに、手前側開口が後述する跳ね上げ扉２８により開閉可能に構成されている。箱体４１内部は、両側板４３，４３に渡り略水平方向に架設された仕切棚板４５により、収納領域が仕切棚板４５上方の上方領域Ｕと下方の下方領域とに仕切られている。更に収納領域である下方領域は、使用者の手前側の前側領域Ｆと奥行側の奥側領域Ｒとに区分けされている。
【００１５】
跳ね上げ扉２８は、上縁が箱体４１の天板４２前縁に回動可能に枢支され、箱体４１の前面開口の上部を被覆する上扉２８ａと、上縁が上扉２８ａの下縁に回動可能に枢支され、箱体４１の前面開口の下部を被覆する下扉２８ｂと、から構成されている。
【００１６】
図４に示されるように、上扉２８ａは、天板４２下面前端に固着された回動部５３に枢支されるとともに、上扉２８ａ内面下端に固着された回動部５４により下扉２８ｂ内面上端に固着された取付部５５を枢支している。更に下扉２８ｂは、各側板４３の内面に固着された回動保持部５２に後端が枢支された回動保持軸５６の前端に、この下扉２８ｂの内面において回動可能に枢支されている。回動保持軸５６は、その軸方向に伸縮可能に構成されている。
【００１７】
上記した構成により、跳ね上げ扉２８は、上扉２８ａと下扉２８ｂとが上下に前面略面一に配置され箱体４１の前面開口を閉塞する閉塞位置（図４の実線参照）と、上扉２８ａが回動部５３周りに上方に回動して下扉２８ｂが回動部５４周りに回動し、このように回動した状態で回動保持部５６により両扉２８ａ，２８ｂが保持され、箱体４１の前面開口を開放する開放位置（図４の点線参照）との間を、回動できるように成っている。
【００１８】
図１，図２に示されるように、前側領域Ｆには、左右各側板４３の内面にそれぞれ支持された垂直軸４７回りに回動自在の回動棚４８が設けられている。回動棚４８は、各々が矩形枠状に形成され左右に並設された各回動フレーム４９と、各回動フレーム４９の下面に下方を照らすように固設された照明装置２６と、から主に構成されている。各回動フレーム４９は、ワイヤー材により形成されたカゴ部５０が上下２段に配設され、これ等カゴ部５０内に物品を収納できるようになっている。
【００１９】
すなわち回動棚４８は、回動フレーム４９内に物品を収納することで物品を箱体４１内の前側領域に収納できるとともに、左右の回動フレーム４９を個別に手前側に適宜回動操作することで、回動フレーム４９内に物品を出し入れし易い。また、回動フレーム４９を手前側に回動操作することで、奥側領域Ｒに配置された後述する昇降棚１に箱体４１の手前側からアプローチできる。
【００２０】
更に、回動棚４８の回動フレーム４９を回動することで、回動フレーム４９の下部に設けられた照明装置２６により、吊戸棚３の下方のキッチンやシンク等の適宜箇所を照らす自由度が高まる。
【００２１】
また、跳ね上げ扉２８を跳ね上げることで、箱体４１の手前側を左右の間口いっぱいに開放でき、前側領域Ｆの回動棚４８を大容量にできる。
【００２２】
また、仕切棚板４５で区分けされた比較的手が届き難い上方領域Ｕを利用して、下方領域である前側領域Ｆ及び奥側領域Ｒに収納する物品よりも使用頻度の低い物品を長期収納する等、頻度や用途を考慮した有効な収納空間を提供でき、利便性を向上できる。
【００２３】
次に、吊戸棚３の箱体４１内の奥側領域Ｒに配置された昇降棚１の構造について、図３〜６を参照して以下に説明する。
【００２４】
昇降棚１は、箱体４１内の奥側領域Ｒにおける両側板４３，４３内面に取り付けられている。この昇降棚１は、台所の使用者が調理器具や食器や調味料の入った容器などを一時的に載置することができる２段の棚部としての棚板５，６と、これら棚板５，６の左右端側にそれぞれ配置され、上段の棚板５を昇降自在に支持する前後一対の上アーム８，９及び下段の棚板６を昇降自在に支持する前後一対の下アーム１０，１１と、から主に構成されている。
【００２５】
尚、本実施例における棚板５，６の前後幅は、奥側領域Ｒの前後幅よりも短い長さに形成されているとともに、上アーム８，９、下アーム１０，１１の長手幅は、奥側領域Ｒの前後幅よりも短寸に形成されており、後述する昇降棚１の上昇位置において、下段の棚板６の下面が箱体４１の両側板４３，４３の下面に略面一に位置するように、コンパクトに折り畳まれて収容されるようになっている。
【００２６】
図３，図４に示すように、昇降棚１は、上方側に取付部材７を備えており、この取付部材７がネジ（図示略）等を用いて箱体４１の両側板４３，４３内面及び略下端後方に取り付けられることで、昇降棚１が箱体４１に固定されている。この取付部材７の後部には、上段の棚板５よりも上方に配置される前後一対の上アーム８，９の上端が枢軸部１２，１３を介して枢着されて取付部材７から下方に吊り下げられており、上アーム８，９が枢軸部１２，１３を軸心として前後方向に回動できるようになっている。
【００２７】
図４に示すように、上アーム８，９の下端は、棚板５の左右両端を前後方向に移動自在に支持する支持体２０の上部に枢着されているとともに、この支持体２０の下部には、棚板５よりも下方に配置される下アーム１０，１１の上端が枢軸部１６，１７を介して枢着されており、下アーム１０，１１が枢軸部１６，１７を軸心として前後方向に回動できるようになっている。また、この下段の下アーム１０，１１の下端は、棚板６の左右両端部に固着された支持体２１の側面に枢軸部１８，１９を介して枢着されており、これら上アーム８，９、下アーム１０，１１を回動させることで棚板５，６が昇降されるようになっている。
【００２８】
また、上段の棚板５の左右各端部に、上段の棚板５の前後幅と略同じ幅の側板５ａが上方に延設されている。側板５ａは、箱体４１内部の奥側領域Ｒの上下高さと略同じ上下高さを有している。更に、棚板５の後縁及び両側板５ａ，５ａの後縁とに、背板５ｂが設けられており、すなわち上段の棚板５は、左右側及び後側が閉塞され少なくとも前側が開放された構成になっている。
【００２９】
図５に示されるように、下段に配置される棚板６の下面前部には、棚板５，６を昇降させる際に使用者が把持できる凹溝状の手掛部２２が形成されており、使用者は、棚板５，６を使用するときには手掛部２２を把持して棚板５，６を降下させ、棚板６を使用しないときには、棚板５，６を上昇させることで、上下段の上アーム８，９、下アーム１０，１１が後述するアーム連動手段を介してそれぞれ逆方向に回動し、上下方向の中央に配置される支持体２０を中心として側面視で「く」の字状に屈曲してコンパクトに折り畳まることで、棚板５，６が箱体４１内部の奥側領域Ｒ内に位置する上昇位置（図６に示される位置）に配置されるようになっている。このとき、上段の棚板５上面に物品を載置した状態で棚板５，６を上昇位置に配置することで、棚板５上面に載置した物品を箱体４１内の奥側領域Ｒに収納することができる。
【００３０】
更に、図３及び図４に示すように、左右の上アーム９，９の上部間及び左右の下アーム１１，１１の下部間には、左右に配置される上アーム９，９、下アーム１１，１１同士を連結する左右方向を向くフレーム２３，２４が設けられており、このフレーム２３，２４が設けられることによって、棚板５，６の左右側に配置される左右の上アーム８，９及び左右の下アーム１０，１１が連動し、棚板５，６が左右にがたつくことなく、円滑に昇降されるようになっている。
【００３１】
箱体４１の背板４４の前面には、昇降棚１が前記上昇位置に折り畳まれた状態において、フレーム２３の中央部が当接される当接金具２５がネジ（図示略）等を用いて取り付けられている。この当接金具２５には、上段側のフレーム２３との当接箇所に切欠部２５ａが凹設されており、棚板５，６が上昇したときにおいて、フレーム２３が当接金具２５の切欠部２５ａに嵌合して当接されることで上昇が規制され、上アーム８，９及び下アーム１０，１１の上方への過回動を防止するようになっている。尚、本実施例の当接金具２５に替えて、マグネットなどから成る係止手段を用いても良く、棚板５，６が上昇位置にあるときにフレーム２３，２４が前記係止手段に当接することで上昇が規制されるようにし、すなわち前記係止手段により棚板５，６を上昇位置に維持できるようにしても良い。
【００３２】
図４に示すように、箱体４１の前側領域Ｆに配置された回動棚４８の下面には、吊戸棚３の下方に配置されるキッチン台(図示略)等を照らす照明装置２６が配置されている。この照明装置２６は、長手が左右方向を向き、その左右幅が吊戸棚３の左右幅よりも短く形成されており、後に詳述するように、昇降棚１が上昇位置に位置したときに、照明装置２６の左右側に支持体２０や互いに折り畳まれた上アーム８，９及び下アーム１０，１１が配置される空間部が形成されるようになっているとともに、照明装置２６の後側には、上段及び下段の２枚の棚板５，６が上下に重合された状態で配置されるようになっている（図６参照）。
【００３３】
図４に示すように、吊戸棚３の前側領域Ｆの前面側には、この前側領域Ｆを開閉自在とする跳ね上げ扉２８を構成する下扉２８ｂが設けられている。この下扉２８ｂの下面は、箱体４１の両側板４３の下面と略面一になるように延設されており、図６に示すように、棚板５，６が上昇されて前記上昇位置に位置している状態において、これら棚板５，６を含む昇降棚１全体の前方側が下扉２８ｂによって覆われるため、昇降棚１及び吊戸棚３の見栄えが向上する。
【００３４】
昇降棚１について詳述すると、特に図５に示すように、上段及び下段の棚板５，６の左右に配置される上アーム８，９、下アーム１０，１１は、それぞれ前後方向に２本づつ配置されており、それぞれの上端及び下端が取付部材７及び支持体２０，２１の枢軸部１２〜１９に枢着されている。取付部材７及び支持体２０，２１に配置されるそれぞれの上アーム８，９、下アーム１０，１１の枢軸部１２〜１９は、上アーム８，９、下アーム１０，１１の上部側及び下部側ともに略等間隔離間されて配置されており、互いの上アーム８，９、下アーム１０，１１が平行を成した状態で回動できる平行リンク機構として構成されている。
【００３５】
図３に示すように、左右に配置される取付部材７には、付勢手段としてのガススプリング２９がそれぞれ配置されている。ガススプリング２９本体の前端部は、取付部材７の前方側に設けられた枢軸部３０に揺動自在に枢着されているとともに、ガススプリング２９の後端部、すなわち、ガススプリング２９本体に対して伸縮自在に嵌挿された伸縮ロッドの先端部は、前後一対の上アーム８，９のうちの後方側に配置されるアーム９の上端部近傍に取り付けられた枢軸金具３２の先端部に形成された枢軸部３１に枢着されており、この枢軸部３１は、アーム９の枢軸部１３から若干離れた位置に設けられている。尚、枢軸金具３２は上アーム９に一体に設けられても良い。
【００３６】
図４に示すように、棚板５，６が最大に降下された降下位置にあるときには、ガススプリング２９が枢着される枢軸部３１が、アーム９の上部に設けられた枢軸部１３よりも若干前方位置にあるため、ガススプリング２９は、アーム９が枢軸部１３を軸心として前方側に回動する方向、すなわち棚板５，６の上昇させる方向に押圧するようになっている。そのため棚板５，６が降下位置まで下げられると、ガススプリング２９の付勢力によって棚板５，６が最大に降下した降下位置にて保持されるようになっている。
【００３７】
尚、アーム９の枢軸部１３とガススプリング２９の枢軸部３１とが、ガススプリング２９の押圧方向とほぼ同一直線上に位置（若しくは前記同一直線よりも若干下方側でもよい）されたとしても、棚板５，６が降下位置にて保持される。更に尚、降下位置におけるガススプリング２９の押圧力が、棚板５，６を持上げるために必要な力よりも低く設定してある場合には、ガススプリング２９が枢着される枢軸部３１が、アーム９の上部に設けられた枢軸部１３よりも上方位置にある場合でも、棚板５，６が最大に降下した降下位置にて保持される。
【００３８】
そして、図５に示すように、使用者が手掛部２２を掴んで棚板６を上方に押し上げ、ガススプリング２９が枢着される枢軸部３１が枢軸部１３よりも若干上方に位置すると、ガススプリング２９は、アーム９が枢軸部１３を軸心として前方側に回動する方向、すなわち、棚板５，６を上昇させる方向に押圧付勢する。このガススプリング２９の押圧付勢力によって棚板５，６が上昇し、棚板５，６の上昇をガススプリング２９が補助するので、使用者が強く押し上げなくても棚板５，６を楽に上昇させることができる。
【００３９】
また、棚板５，６を下げるときにおいて、ガススプリング２９の付勢力により棚板５，６が自重によって急に下がるようなこともなくなり、ゆっくり降下するようになるため安全である。尚、本実施例では付勢手段としてガススプリング２９を用いているが、ガススプリング２９に限ることなく、ロータリー式ダンパーやコイルバネなどを用いて付勢手段を構成してもよい。
【００４０】
さらに、特に詳細な図示はしないが、ガススプリング２９本体に対する伸縮ロッドの摺動を、操作ボタン等の操作によって規制することができるロック機構付きのガススプリングを適用してもよく、このようにすることで、棚板５，６を適宜降下位置にて確実に保持することができるため、棚板５，６の高さ方向の降下位置を種々に変更することができる。
【００４１】
図１の部分拡大断面図に示すように、棚板５の左右に配置される上段の支持体２０の内面には、前後方向に延びる摺動溝３３が形成されており、この摺動溝３３に棚板５の左右両端部が摺動可能に取り付けられ、棚板５は支持体２０に対して前後方向に移動できるようになっている。尚、棚板５の左右両端部には、摺動溝３３の上下部に形成された係合片３３ａに係合される係合部５ａが前部付近に形成されており、棚板５が摺動溝３３から外れることが防止されている。
【００４２】
図５に示すように、棚板５とアーム９との間には、上アーム８，９の回動に伴って棚板５を前方または後方に摺動させるための昇降棚連動手段としての摺動リンク部材３４が取り付けられている。この摺動リンク部材３４は、その下端が棚板５の左右両端部における後側に設けられた枢軸部３６を介して枢着されるとともに、上端が上アーム８，９のうちの後側のアーム９に形成された枢軸部３５に枢着されており、使用者が棚板６の手掛部２２を掴んで棚板５，６を図３に示す降下位置から上昇させると、図４及び図５に示すように、上アーム８，９が枢軸部１２，１３を軸心として前方側に回動し、その回動に伴い摺動リンク部材３４が枢軸部３５を軸心として後方側に回動されることで、棚板５が支持体２０に対して後方側に移動される。
【００４３】
棚板５，６が降下されると、上アーム８，９が枢軸部１２，１３を軸心として後方側に回動し、その回動に伴い摺動リンク部材３４が枢軸部３５を軸心として前方側に回動されることで、棚板５が支持体２０に対して前方側に移動される。
【００４４】
このように上アーム８，９の回動が摺動リンク部材３４を介して棚板５に伝達されるので、使用者が棚板５，６を昇降させると自動的に棚板５が支持体２０に対して前方または後方に移動されるため、使用者が手動で棚板５を前方または後方に移動させる必要がなくなる。また、昇降棚連動手段として摺動リンク部材３４を適用することで、棚板５の前部が支持体２０の摺動溝３３に、摺動溝３３から後方に突出した後部が摺動リンク部材３４により安定して支持される。
【００４５】
また、棚板５，６が、側板４３の下面に近接する上昇位置まで上昇された際に、上段及び下段の２枚の棚板５，６は、照明装置２６よりも後側に退避した退避位置にて吊戸棚３の下面に重ねて配置されるので、棚板５が照明装置２６の下方に配置して、該棚板５により照明装置２６の光が遮られることがない（図６参照）。
【００４６】
図５に示すように、上段の支持体２０の内部には、上段及び下段のいずれか一方の上アーム８，９、下アーム１０，１１の回動に伴って他方の上アーム８，９、下アーム１０，１１を回動させるための本実施例におけるアーム連動手段としての回動リンク部材３７が設けられている。
【００４７】
詳しくは、図４〜図６に示すように、前後一対の上アーム８，９のうち前側に配置されるアーム８は、その下端がアーム８の枢軸部１４より下方に延設され、この下端部には、回動リンク部材３７が枢着された枢軸部３８が設けられているとともに、前後一対の下アーム１０，１１のうち前側に配置されたアーム１０の上端部には、回動リンク部材３７が枢着される枢軸部３９が形成された枢軸金具４０が取り付けられている。尚、回動リンク部材３７は上アーム８に一体に設けられても良く、枢軸金具４０は下アーム１０に一体に設けられても良い。
【００４８】
よって、使用者が棚板６の手掛部２２を掴んで図６に示す棚板５，６を上昇させると、図４及び図５に示すように、下段のアーム１０が枢軸部１６を軸心として後方側に回動され、その回動を回動リンク部材３７が上段のアーム８に伝達し、上段のアーム８が枢軸部１４を軸心として後方側に回動される。このように回動リンク部材３７によって上段及び下段の上アーム８，９、下アーム１０，１１が同時に回動されるので、上段の棚板５及び下段の棚板６が、それぞれ平行リンクとして構成された上アーム８，９、下アーム１０，１１によって水平状態を保たれたまま同時に昇降されるようになる。
【００４９】
以上説明したように、本実施例における吊戸棚３にあっては、吊戸棚３の収納領域を手前側の前側領域Ｆと奥側の奥側領域Ｒとに区分し、手が届き難い奥側領域Ｒに昇降棚１を配置し昇降可能にすることで、吊戸棚３の奥側領域Ｒの使い勝手が向上するともに、昇降棚１の下段の棚板６は昇降棚１を降下させたときのみに物品を載置可能な仮置き棚部とし、上段の棚板５は物品を載置したまま上昇させて箱体４１内の収納棚部として使用できる。
【００５０】
また、手前側が開放した上段の棚板５に物品を載置し易いばかりか、棚板５上面に載置した物品が左右両側板４３，４３と背板４４とに依り落下し難く、手前側に落下防止用の桟などを適宜設けることもできる。
【００５１】
本実施例における昇降棚１にあっては、上段及び下段における前後にそれぞれ離間配置される前後一対の上アーム８，９及び下アーム１０，１１が平行リンクとして構成されているので、棚板５，６がその上面を水平状態に維持したまま安定して昇降される。また、上アーム８，９、下アーム１０，１１は互いに交差せずに回動されるので、使用者が誤って指を上アーム８，９間または下アーム１０，１１間に挟む虞も少なく、万一指を挟んだとしても、上アーム８，９、下アーム１０，１１同士が平行に配置された状態なので、強い力が指に加わることがない。
【００５２】
尚、上アーム８，９、下アーム１０，１１の枢軸部１４〜１９が支持体２０，２１の内部に配置されているので、昇降棚１の見栄えが向上するとともに、上アーム８，９、下アーム１０，１１が回動されたときに、強い力が加わりやすい枢軸部１４〜１９近傍に使用者の指を挟める虞もなくなる。
【００５３】
また、上段の棚板５は、該棚板５を支持する支持体２０を介して前後一対の上アーム８，９の下端に枢着されるとともに、棚板５は該支持体２０に対して前後方向に摺動可能に取り付けられているとともに、上アーム９と棚板５とが摺動リンク部材３４を介して連係されていることで、上アーム９が回動するとその回動力が摺動リンク部材３４を介して棚板５に伝達され、棚板５が昇降に応じて前方または後方に摺動して所定位置まで移動するようになっていることで、棚板５が降下して下方の降下位置に位置したときには、図４に示すように棚板５は支持体２０に対して前方に移動し、前後の位置をほぼ保ったまま降下できるので、使用者の前方の使用空間が損なわれず、使用者からの使い勝手が向上する。
【００５４】
また、側板４３の内面下部に上端が枢着された左右の前後一対の上アーム８，９の長手幅は、上昇位置において奥側領域Ｒの前後幅の範囲内に納まる長さに制限されるが、棚板５を降下させたときに該棚板５の後端が後側の壁面２に当接しても、支持体２０に対して棚板５を前方に移動させることができるため、上アーム８，９の回動範囲が棚板５により大きく制限されることなく、上アーム８，９の下端を極力下方まで降下させることができる。
【００５５】
また、棚板５が上方の上昇位置に位置したときには、図６に示すように、棚板５は摺動リンク部材３４の作用により支持体２０に対して後方に移動し、照明装置２６の後方の退避位置まで退避するため、棚板５により照明装置２６からの光が遮られることがないばかりか、使用者が手動で棚板５を移動させる手間が不要となる。
【００５６】
また、前後一対の上アーム８，９及び下アーム１０，１１は、各側板４３の内面下側に配置され、棚板５，６の左右端部を昇降自在に支持するようになっているとともに、両照明装置２６，２６の最大左右幅は上アーム８，９及び下アーム１０，１１の左右幅よりも短寸に形成され、上昇位置において照明装置２６の左右外側にこれら上アーム８，９及び下アーム１０，１１の収容スペースが形成されていることで、上昇位置において上アーム８，９及び下アーム１０，１１が側板４３の内面に極力近接するようにコンパクトに収容することができる。
【００５７】
さらに、上アーム８，９の上端が枢着されている取付部材７が、箱体４１の両側板４３，４３内面及び略下端後方に取り付けられているため、図１に示す降下位置において、照明装置２６の鉛直下方に棚板５，６が位置することなく、照明装置２６よりも後側に退避して壁面２寄り（後側）に位置するため、降下位置においても上方の照明装置２６からの光を遮ることがないとともに、照明装置２６の下方に配置されるキッチン台 (図示略)上にて作業する使用者の邪魔になることがない。
【００５８】
以上、本発明の実施例を図面により説明してきたが、具体的な構成はこれら実施例に限られるものではなく、本発明の要旨を逸脱しない範囲における変更や追加があっても本発明に含まれる。
【００５９】
例えば、前記実施例では、吊戸棚３の箱体４１内部の前側領域Ｆに、回動自在の回動棚４８が設けられていたが、このような回動棚に限られず、例えば前側領域Ｆに上下に仕切る仕切棚板が所定数設けられていてもよい。
【００６０】
また、前記実施例では、吊戸棚３の箱体４１の前面開口に、跳ね上げ扉２８が設けられていたが、このような跳ね上げ扉に限られず、例えば前面開口に観音開き式の開閉扉が設けられていてもよい。
【００６１】
また、前記実施例では、吊戸棚３の箱体４１の内部に、前側領域Ｆ及び奥側領域Ｒの上方に上方領域Ｕを形成する仕切棚板４５が設けられていたが、例えば箱体４１の内部に仕切棚板が設けられておらず、前側領域Ｆ及び奥側領域Ｒのみが形成されていてもよい。
【００６２】
また、前記実施例では、棚部に棚板５，６が適用されていたが、このような板状部材からなる棚に限定されるものではなく、前後方向に並設される複数本のパイプ等からなる水切り棚等を適用してもよい。また前記実施例で示した昇降棚を、吊戸棚の前後方向に複数組並設してもよい。
【００６３】
更に、前記実施例では、棚部を構成する上段の棚板５に、左右各側部に側板５ａが上方に延設されるとともに、後縁に背板５ｂが上方に延設されていたが、例えば上段の棚板を構成せずに下段の棚板に、左右各側部に側板が上方に延設されるとともに、後縁に背板が上方に延設されていても良く、このようにすることで、前記側板及び前記背板を更に上方に延ばすことができ、より多くの物品を収納できる。
【符号の説明】
【００６４】
１                昇降棚
３                吊戸棚
５                棚板（上段の棚部）
６                棚板（下段の棚部）
８，９            上アーム
１０，１１        下アーム
１２〜１９        枢軸部
２０，２１        支持体
２６              照明装置
２８              跳ね上げ扉
４１              箱体
４２              天板
４３              側板
４５              仕切棚板
４７              垂直軸
４８              回動棚
【図１】
2011147662.tif 000003
【図２】
2011147662.tif 000004
【図３】
2011147662.tif 000005
【図４】
2011147662.tif 000006
【図５】
2011147662.tif 000007
【図６】
2011147662.tif 000008